(57)【要約】【課題】部品精度のバラツキによる動作不良を解消し、用紙を常に確実に給紙することができる給紙装置を提供すること。【解決手段】給紙ローラを回転駆動する駆動ギヤに選択的に噛合する欠歯ギヤと、該欠歯ギヤを一回転方向に付勢するスプリング（付勢手段）３１と、前記欠歯ギヤに選択的に噛合して前記スプリング３１の付勢力に抗して欠歯ギヤを初期位置に戻す入力ギヤと、前記欠歯ギヤを初期位置に保持／保持解除する接離手段（ソレノイド）と、前記欠歯ギヤと共に回転する回転カム３０と、前記給紙ローラに選択的に押圧されるリフト板とこれに取り付けられた押上げカム３４と、前記回転カム３０によって揺動して前記押下げカム３４に選択的に係合するレバー３５を備えた給紙装置において、前記回転カム３０が動作した後、一定時間だけ前記レバー３５と前記押下げカム３４の間に隙間δが確保されるよう構成する。【選択図】図８
2009084021.tif 000002
【特許請求の範囲】
【請求項１】
給紙ローラを回転駆動する駆動ギヤに選択的に噛合する欠歯ギヤと、該欠歯ギヤを一回転方向に付勢する付勢手段と、前記欠歯ギヤに選択的に噛合して前記付勢手段の付勢力に抗して欠歯ギヤを初期位置に戻す入力ギヤと、前記欠歯ギヤを初期位置に保持／保持解除する接離手段と、前記欠歯ギヤと共に回転する回転カムと、前記給紙ローラに選択的に押圧されるリフト板とこれに取り付けられた押上げカムと、前記回転カムによって揺動して前記押上げカムに選択的に係合するレバーを備え、前記接離手段によって前記欠歯ギヤの初期位置での保持が解除され、該欠歯ギヤが前記付勢手段による付勢力によって回転して前記駆動ギヤに噛合すると前記給紙ローラが回転するとともに、欠歯ギヤと共に回転する回転カムによって前記レバーが動作して前記押上げカムを前記リフト板と共に押し上げてリフト板を前記給紙ローラに押圧することによって用紙を給紙する給紙装置において、
前記回転カムが動作した後、一定時間だけ前記レバーと前記押上げカムの間に隙間が確保されるよう構成したことを特徴とする給紙装置。
【請求項２】
前記回転カムが動作した後一定時間は、前記レバーが前記回転カムの該レバーを押し下げるカム面に係合するよう構成したことを特徴とする請求項１記載の給紙装置。
【請求項３】
給紙手段によって用紙を画像形成部に給送し、前記画像形成部において像担持体上に形成されたトナー像を用紙上に転写した後、該トナー像を用紙に定着させる画像形成装置において、
前記給紙手段を請求項１又は２記載の給紙装置で構成したことを特徴とする画像形成装置。
【発明の詳細な説明】
【技術分野】
【０００１】
本発明は、特に手差しトレイから用紙を画像形成部に向けて給送するための給紙装置及びこれを備えた画像形成装置に関するものである。
【背景技術】
【０００２】
電子写真方式を採用する複写機やプリンタ等の画像形成装置においては、用紙を画像形成部に給送し、画像形成部において像担持体上に形成されたトナー像を用紙上に転写した後、該トナー像を用紙に定着するプロセスを経て画像が形成されるが、用紙を画像形成部へと給送する方式として、複数枚の用紙を給紙カセットに予め積層収容しておき、給紙カセットから用紙を１枚ずつピックアップして画像形成部へと給送するカセット給紙と、手差しトレイに積載された複数枚の用紙を１枚ずつ画像形成部へと給送する手差し給紙の何れかの方式を選択することができる。
【０００３】
ところで、手差し給紙を行うための従来の給紙装置においては、リフト板を押さえている押上げカムを回転カムによって押し上げることによってリフト板を押し上げ、該リフト板を給紙ローラに押圧して用紙を装置本体内の画像形成部へと搬送する構成が採用されていた（例えば、特許文献１参照）。
【０００４】
ところが、上述のように回転カムによってリフト板を直接押し上げる構成を採用すると回転カムが大きくなってしまい、該回転カムの周辺に大きなスペースが必要となるために給紙装置が大型化するという問題があった。
【０００５】
そこで、近年、回転カムと押上げカムの間にレバーを介在させることによって省スペース化を図った給紙装置が主流となっている。このような給紙装置を図１１〜図１５に基づいて以下に説明する。
【０００６】
図１１は従来の給紙装置の駆動系の正面側斜視図、図１２は駆動系の裏面側斜視図、図１３は同駆動系要部の裏面側斜視図、図１４及び図１５は回転カムとレバー及び押上げカムの動作を示す駆動系要部の裏面図である。
【０００７】
図１１及び図１２において、２６は給紙ローラ軸であって、この給紙ローラ軸２６の一端には手差し用の前記給紙ローラ５が結着され、他端には駆動ギヤ２７が結着されている。そして、駆動ギヤ２７の下方には、駆動軸２８が前記給紙ローラ軸２６と平行に配されており、この駆動軸２８には欠歯ギヤ２９と回転カム３０が結着されている。又、回転カム３０の裏面には、図１２〜図１５に示すように、付勢手段であるスプリング３１が張設されており、回転カム３０と欠歯ギヤ２９は、スプリング３１によって図１４及び図１５の矢印Ａ方向（反時計方向）に付勢されている。
【０００８】
ここで、前記欠歯ギヤ２９の外周部には欠歯部が部分的に形成されており、該欠歯ギヤ２９には前記駆動ギヤ２７と不図示の入力ギヤが選択的に噛合する。
【０００９】
又、図１１に示すように、給紙ローラ５の下方にはリフト板３２が軸３３を中心として上下に揺動可能に支持されて設けられており、このリフト板３２の幅方向一端（駆動ギヤ２７が設けられた側の端部（図１１の右端））には押上げカム３４が取り付けられている。そして、この押上げカム３４と前記回転カム３０の間にはレバー３５が介設されており、このレバー３５は、後述のように回転カム３０に係合して上下に揺動することによって前記押上げカム３４を押し上げる。ここで、回転カム３０の外周には、図１４及び図１５に示すように、レバー３５を押し上げるための平坦なカム面３０ａと、レバー３５を押し上げた状態に保持するための円弧状のカム面３０ｂと、レバー３５を押し下げるための平坦なカム面３０ｃが形成されている。
【００１０】
而して、手差し給紙部６からの給紙が行われる前においては、欠歯ギヤ２９と回転カム３０及びレバー３５は図１４に示す初期位置にある。即ち、欠歯ギヤ２９と回転カム３０は図１２に示すソレノイド３７によって図１４に示す初期位置に固定されており、このとき、スプリング３１は伸張されて欠歯ギヤ２９と回転カム３０を図１４及び図１５の矢印Ａ方向に付勢している。又、図１４に示す初期位置においては、レバー３５は、回転カム３０のカム面３０ａに係合して押上げカム３４から離間しているため、リフト板３２は図１１に示すように給紙ローラ５から離間しており、従って、この状態では用紙の給紙はなされない。尚、このとき、不図示の入力ギヤは常時回転（空転）しているが、該入力ギヤは欠歯ギヤ２９に噛合していないため、その回転が欠歯ギヤ２９に伝達されることはなく、該欠歯ギヤ２９と回転カム３０は初期位置で静止している。
【００１１】
上記状態からユーザーが用紙を手差し給紙部６から給紙する場合には、不図示の手差しトレイ上に用紙がセットされてプリント開始信号が入力されると、ソレノイド３７に通電がなされて欠歯ギヤ２９と回転カム３０の固定が解除される。すると、スプリング３１に蓄積されていた回転エネルギーが開放されるため、この回転エネルギーによって欠歯ギヤ２９と回転カム３０が一体的に図１５の矢印Ａ方向に回転する。
【００１２】
上述のように回転カム３０が図１５の矢印Ａ方向に回転すると、これのカム面３０ａに係合するレバー３５が押上げカム３４とリフト板３２を押し上げるため、該リフト板３２が給紙ローラ５に押圧されるとともに、欠歯ギヤ２９が駆動ギヤ２７に噛合する。すると、欠歯ギヤ２９の回転は駆動ギヤ２７を経て給紙ローラ軸２６へと伝達され、該給紙ローラ軸２６とこれに結着された給紙ローラ５が回転し、リフト板３２上の用紙が該リフト板３２と給紙ローラ５によって挟持されて不図示の画像形成部へと搬送される。
【００１３】
以上のようにして１枚の用紙の手差し給紙部６からの給紙が終了すると、欠歯ギヤ２９が入力ギヤに噛合するため、該欠歯ギヤ２９が回転カム３０と共にスプリング３１の付勢力に抗して反矢印Ａ方向（図１４及び図１５の時計方向）に回転して図１４に示す初期位置に戻され、ソレノイド３７によって欠歯ギヤ２９と回転カム３０が図１４に示す初期位置に固定され、スプリング３１には回転エネルギーが再び蓄積される。以後、同様の作用が繰り返されて手差し給紙部６からの給紙が連続的になされる。
【特許文献１】特許第３３３７９７８号公報
【発明の開示】
【発明が解決しようとする課題】
【００１４】
しかしながら、上記従来の給紙装置においては、部品精度のバラツキのために初期位置におけるレバー３５と押上げカム３４との隙間が小さくなる場合があり、このような場合には、図１５に示すようにソレノイドによる欠歯ギヤ２９と回転カム３０の固定が解除されたときに欠歯ギヤ２９が駆動ギヤ２７に噛合する以前にレバー３５が押上げカム３４に接触し、欠歯ギヤ２９のそれ以上の回転が阻止されるために該欠歯ギヤ２９が駆動ギヤ２７に噛合せず、欠歯ギヤの２９回転が駆動ギヤ２７に伝達されないために給紙ローラ５が回転せず、用紙が正常に給紙されないという問題が発生する。
【００１５】
本発明は上記問題に鑑みてなされたもので、その目的とする処は、部品精度のバラツキによる動作不良を解消し、用紙を常に確実に給紙することができる給紙装置とこれを備えた画像形成装置を提供することにある。
【課題を解決するための手段】
【００１６】
上記目的を達成するため、請求項１記載の発明は、給紙ローラを回転駆動する駆動ギヤに選択的に噛合する欠歯ギヤと、該欠歯ギヤを一回転方向に付勢する付勢手段と、前記欠歯ギヤに選択的に噛合して前記付勢手段の付勢力に抗して欠歯ギヤを初期位置に戻す入力ギヤと、前記欠歯ギヤを初期位置に保持／保持解除する接離手段と、前記欠歯ギヤと共に回転する回転カムと、前記給紙ローラに選択的に押圧されるリフト板とこれに取り付けられた押上げカムと、前記回転カムによって揺動して前記押上げカムに選択的に係合するレバーを備え、前記接離手段によって前記欠歯ギヤの初期位置での保持が解除され、該欠歯ギヤが前記付勢手段による付勢力によって回転して前記駆動ギヤに噛合すると前記給紙ローラが回転するとともに、欠歯ギヤと共に回転する回転カムによって前記レバーが動作して前記押上げカムを前記リフト板と共に押し上げてリフト板を前記給紙ローラに押圧することによって用紙を給紙する給紙装置において、
前記回転カムが動作した後、一定時間だけ前記レバーと前記押上げカムの間に隙間が確保されるよう構成したことを特徴とする。
【００１７】
請求項２記載の発明は、請求項１記載の発明において、前記回転カムが動作した後一定時間は、前記レバーが前記回転カムの該レバーを押し下げるカム面に係合するよう構成したことを特徴とする。
【００１８】
請求項３記載の発明は、給紙手段によって用紙を画像形成部に給送し、画像形成部において像担持体上に形成されたトナー像を用紙上に転写した後、該トナー像を用紙に定着する画像形成装置において、前記給紙手段を請求項１又は２記載の給紙装置で構成したことを特徴とする。
【発明の効果】
【００１９】
本発明によれば、給紙に際して回転カムが動作した後、一定時間だけレバーと押上げカムの間に隙間が確保されるよう構成したため、欠歯ギヤが駆動ギヤに噛合する以前にレバーが押上げカムに接触して欠歯ギヤのそれ以上の回転が阻止されるという不具合の発生が防がれ、回転カムが一定時間だけ回転した後には欠歯ギヤが駆動ギヤに常に確実に噛合する。このため、欠歯ギヤの回転が駆動ギヤに伝達されて給紙ローラが常に確実に回転し、該給紙ローラの回転によって用紙が正常に給紙され、部品精度のバラツキによる動作不良の問題が解消される。
【発明を実施するための最良の形態】
【００２０】
以下に本発明の実施の形態を添付図面に基づいて説明する。
［画像形成装置］
図１は本発明に係る画像形成装置の一形態としてのレーザビームプリンタの側断面図である。
【００２１】
図示のレーザビームプリンタ１においては、箱状の本体（筐体）２の上面の中央部に、傾斜した凹状の排紙トレイ３が設けられている。そして、本体２の前面（図１の右側が前方）上部には開閉可能な手差しトレイ４が設けられており、この手差しトレイ４とその奥の本体２内に回転可能に設けられた手差し用の給紙ローラ５は手差し給紙部６を構成している。尚、手差し給紙部６の詳細は後述する。
【００２２】
而して、レーザビームプリンタ１は、本体２内に設けられた搬送路Ｌに沿って記録材である用紙を搬送しながら、不図示の端末等から送信される画像データに基づいて用紙に画像を形成するものであって、前記搬送路Ｌは、側面視略Ｌ字状を成して前記排紙トレイ３へと延びている。
【００２３】
又、レーザビームプリンタ１は、本体２の下部に設けられたカセット給紙部７と、該カセット給紙部７上方の本体２内の略中央部に設けられた画像形成部８と、該画像形成部８の後方に配された定着部９と、該定着部９上方の本体２上面に設けられた凹状の排紙部１０を備えている。
【００２４】
上記カセット給紙部７は、上面が開放された矩形箱状の給紙カセット１１内に複数枚の用紙を積層収容するとともに、給紙カセット１１内の用紙を１枚ずつ取り出すピックローラ１２と、取り出された用紙を１枚ずつ分離して搬送路Ｌへと送り出す給紙ローラ１３ａと分離ローラ１３ｂを備えており、搬送路Ｌには、送り出された用紙を一時待機させた後に所定のタイミングで画像形成部８へと供給するレジストローラ対１４が設けられている。
【００２５】
前記画像形成部８は、手差し給紙部６又はカセット給紙部７から供給された用紙に画像を形成するものであって、本体２内の略中央部に回転可能に配された像担持体としての感光ドラム１５と、その周囲に配置された帯電器１６、現像手段である現像装置１７、転写手段である転写ローラ１８及びクリーニング装置１９と、これらの上方に配置されたレーザスキャナユニット（ＬＳＵ）２０、トナーホッパー２１等を備えている。
【００２６】
又、前記定着部９は、画像形成部８において用紙に転写されたトナー像を当該用紙に定着させるためのものであって、互いに圧接されて回転する定着ローラ２２と加圧ローラ２３を備えている。
【００２７】
更に、前記排紙部１０は、定着部９においてトナー像が定着された用紙を本体２外へと排出するためのものであって、搬送路Ｌの末端に設けられた排紙ローラ対２４と、搬送路Ｌを搬送される用紙を前記排紙ローラ対２４へと案内する縦リブ状の複数の搬送ガイドリブ２５及び本体２外へと排出される用紙を積載するための前記排紙トレイ３を備えている。
【００２８】
次に、以上の構成を有するレーザビームプリンタ１の画像形成動作について説明する。
【００２９】
例えばパーソナルコンピュータ（パソコン）等の端末から当該レーザビームプリンタ１にプリント開始信号が送信されると、画像形成部８においては、感光ドラム１５が不図示の駆動手段によって図１の矢印方向（時計方向）に回転駆動され、その表面が帯電器１６によって所定の電位に一様に帯電される。そして、端末から送信された画像データに基づくレーザ光がレーザスキャナユニット２０から出力されて感光ドラム１５上に照射されると、該感光ドラム１５上には静電潜像が形成される。そして、この感光ドラム１５上に形成された静電潜像は、現像装置１７によって現像剤であるトナーを用いて現像されてトナー像として可視像化される。
【００３０】
ところで、カセット給紙を行う場合、カセット給紙部７の給紙カセット１１内に収容された用紙は、ピックローラ１２によって最上位のものから１枚ずつピックアップされ、１８０°方向が反転されつつ給紙ローラ１３ａによってレジストローラ対１４へと搬送される。
【００３１】
レジストローラ対１４においては、用紙は、一時待機状態とされた後、感光ドラム１５上のトナー像に同期する所定のタイミングで画像形成部８へと供給される。
【００３２】
画像形成部８においては、感光ドラム１５と転写ローラ１８との間の転写ニップへと供給された用紙は、転写ローラ１８によって感光ドラム１５に押し付けられながら搬送されることによって、その表面（転写面）に感光ドラム１５上のトナー像が転写される。そして、トナー像が転写された用紙は、定着部９へと搬送され、この定着部９において定着ローラ２２と加圧ローラ２３によって挟み込まれて搬送される過程で加熱及び加圧されてトナー像の定着を受ける。尚、用紙へのトナー像の転写後に感光ドラム１５の表面に残留するトナー（転写残トナー）はクリーニング装置１９によって除去される。
【００３３】
而して、定着部９にて表面にトナー像が定着された用紙は、搬送路Ｌを上方へと搬送され、搬送ガイドリブ２５に沿って排紙ローラ対２４へと導かれ、排紙ローラ対２４によって本体２上部の排紙トレイ３に排出されて積載され、一連の画像形成動作が完了する。
【００３４】
尚、ユーザーが手差しで給紙する場合には、手差し給紙部６の手差しトレイ４上にセットされた用紙が給紙ローラ５によってレジストローラ対１４へと供給され、以後は前述と同様のプロセスを経て用紙に画像が形成される。
［給紙装置］
次に、本発明に係る給紙装置を構成する手差し給紙部６の構成について説明する。
【００３５】
図２は本発明に係る給紙装置の駆動系の斜視図、図３は同駆動系要部の裏面側斜視図、図４は同駆動系要部の正面側斜視図、図５は同駆動系要部の正面図、図６は同駆動系要部の裏面図、図７は同駆動系要部の正面図、図８は同駆動系要部の裏面図、図９及び図１０は回転カムとレバー及び押上げカムの動作を示す駆動系要部の裏面図である。
【００３６】
本実施の形態に係る手差し給紙部６の基本構成は図１１〜図１５に示した従来の給紙装置と同じであるため、図２〜図１０においては図１１〜図１５に示したものと同一要素には同一符号を付しており、以下、本発明の特徴的な構成についてのみ説明する。
【００３７】
図４、図５及び図７に示すように、駆動軸２８の正面側の一端（欠歯ギヤ２９が設けられた側の端部）には制御筒３６が結着されており、該制御筒３６の外周の一部には係止爪３６ａが突設されている。
【００３８】
又、前記制御筒３６の近傍には接離手段であるソレノイド３７が配設されており、該ソレノイド３７の作動子３８のＬ字状に屈曲した先端部は前記制御筒３６の係止爪３６ａに対して係脱する。ここで、作動子３８は不図示のスプリングによって付勢され、ソレノイド３７に通電されない非通電時（手差し給紙がなされない初期状態）には、作動子３８の先端部は、図４及び図５に示すように、制御筒３６の係止爪３６ａに係合して制御筒３６と欠歯ギヤ２９及び回転カム３０を図５及び図６に示す初期位置に固定する。
【００３９】
而して、ユーザーが用紙を手差し給紙する場合には、図１に示す手差しトレイ４上に用紙がセットされてプリント開始信号が入力されると、ソレノイド３７に通電がなされて作動子３８が不図示のスプリングの付勢力に抗して図７の矢印Ｂ方向に動作し、その先端部が制御筒３６の係止爪３６ａから離脱する。すると、スプリング３１に蓄積されていた回転エネルギーが開放されるため、この回転エネルギーによって欠歯ギヤ２９と制御筒３６及び回転カム３０が一体的に図７の矢印Ａ方向に回転する。
【００４０】
ここで、ソレノイド３７に通電されて回転カム３０が回転を開始した直後の状態を図８に示すが、本実施の形態は、回転カム３０が回転を開始した後、一定時間だけレバー３５と押上げカム３４の間に所定の隙間δが確保されるよう構成したことを特徴とする。具体的には、図８に示すように、回転カム３０が回転を開始した後一定時間は、レバー３５が回転カム３０のカム面３０ｃ（レバー３５を押し下げるためのカム面）に係合するよう構成したことを特徴とする。
【００４１】
従って、本実施の形態によれば、欠歯ギヤ２９が駆動ギヤ２７に噛合する以前にレバー３５が押上げカム３４に接触することがなく、欠歯ギヤ２９のそれ以上の回転が阻止されるという不具合の発生が防がれ、回転カム３０が一定時間だけ回転した後には欠歯ギヤ２９が駆動ギヤ２７に常に確実に噛合する。
【００４２】
その後、回転カム３０が更に回転すると、図９に示すように回転カム３０によってレバー３５が押し上げられて該レバー３５の先端部が押上げカム３４に当接し、押上げカム３４と図２に示すリフト板３２がレバー３５によって押し上げられ、リフト板３２が給紙ローラ５に押圧され、欠歯ギヤ２９の回転が駆動ギヤ２７及び給紙ローラ軸２６を経て給紙ローラ５に伝達されて該給紙ローラ５が回転駆動されるため、図１に示す手差しトレイ４上にセットされた用紙が給紙ローラ５とリフト板３２によって挟持されながら図１に示すレジストローラ対１４に向かって搬送されて画像形成に供される。そして、レバー３５が回転カム３０のカム面３０ｂに係合している間は押上げカム３４の押し上げが保持され、リフト板３２の給紙ローラ５への押圧も保持される。
【００４３】
以上のようにして１枚の用紙の手差し給紙が終了すると、レバー３５は回転カム３０のカム面３０ｃに係合して押し下げられるため、その先端が押上げカム３４から離脱するとともに、欠歯ギヤ２９が図５及び図７に示す入力ギヤ３９に噛合するため、該欠歯ギヤ２９が制御筒３６及び回転カム３０と共にスプリング３１の付勢力に抗して反矢印Ａ方向（図９及び図１０の時計方向）に回転して図５及び図６に示す初期位置に戻され、制御筒３６の係止爪３６ａにソレノイド３７の作動子３８の先端部が係合して欠歯ギヤ２９と制御筒３６及び回転カム３０の回転停止され、スプリング３１には回転エネルギーが再び蓄積される。以後、同様の作用が繰り返されて手差し給紙部６から用紙が給紙される。
【００４４】
而して、本実施の形態によれば、給紙に際して回転カム３０が動作した後、一定時間だけレバー３５と押上げカム３４の間に隙間δ（図８参照）が確保されるよう構成したため、欠歯ギヤ２９が駆動ギヤ２７に噛合する以前にレバー３５が押上げカム３４に接触して欠歯ギヤ２９のそれ以上の回転が阻止されるという不具合の発生が防がれ、回転カム３０が一定時間だけ回転した後には欠歯ギヤ２９が駆動ギヤ２７に常に確実に噛合する。このため、欠歯ギヤ２９の回転が駆動ギヤ２７に伝達されて給紙ローラ５が常に確実に回転し、該給紙ローラの回転によって用紙が正常に給紙され、部品精度のバラツキによる動作不良の問題が解消される。
【００４５】
尚、以上は本発明を特にレーザビームプリンタ及びこれに備えられた給紙装置に適用した形態について説明したが、本発明は、プリンタの他、複写機やファクシミリ装置等、他の任意の画像形成装置及びこれに備えられた給紙装置に対しても同様に適用可能であることは勿論である。
【図面の簡単な説明】
【００４６】
【図１】本発明に係る画像形成装置（レーザビームプリンタ）の側断面図である。
【図２】本発明に係る給紙装置の駆動系の斜視図である。
【図３】本発明に係る給紙装置の駆動系要部の裏面側斜視図である。
【図４】本発明に係る給紙装置の駆動系要部の正面側斜視図である。
【図５】本発明に係る給紙装置の駆動系要部の正面図である。
【図６】本発明に係る給紙装置の駆動系要部の裏面図である。
【図７】本発明に係る給紙装置の駆動系要部の正面図である。
【図８】本発明に係る給紙装置の駆動系要部の裏面図である。
【図９】本発明に係る給紙装置の回転カムとレバー及び押上げカムの動作を示す駆動系要部の裏面図である。
【図１０】本発明に係る給紙装置の回転カムとレバー及び押上げカムの動作を示す駆動系要部の裏面図である。
【図１１】従来の給紙装置の駆動系の正面側斜視図である。
【図１２】従来の給紙装置の駆動系の裏面側斜視図である。
【図１３】従来の給紙装置の駆動系要部の裏面側斜視図である。
【図１４】従来の給紙装置の回転カムとレバー及び押上げカムの動作を示す駆動系要部の裏面図である。
【図１５】従来の給紙装置の回転カムとレバー及び押上げカムの動作を示す駆動系要部の裏面図である。
【符号の説明】
【００４７】
１              レーザビームプリンタ（画像形成装置）
２              プリンタ本体
３              排紙トレイ
４              手差しトレイ
５              給紙ローラ
６              手差し給紙部
７              カセット給紙部
８              画像形成部
９              定着部
１０            排紙部
１１            給紙カセット
１２            ピックローラ
１３ａ          給紙ローラ
１３ｂ          分離ローラ
１４            レジストローラ対
１５            感光ドラム
１６            帯電器
１７            現像装置
１８            転写ローラ
１９            クリーニング装置
２０            レーザスキャナユニット（ＬＳＵ）
１１            トナーホッパー
２２            定着ローラ
２３            加圧ローラ
２４            排紙ローラ対
２５            搬送ガイドリブ
２６            給紙ローラ軸
２７            駆動ギヤ
２８            駆動軸
２９            欠歯ギヤ
３０            回転カム
３０ａ〜３０ｃ  回転カムのカム面
３１            スプリング（付勢手段）
３２            リフト板
３３            軸
３４            押上げカム
３５            レバー
３６            制御筒
３６ａ          制御筒の係止爪
３７            ソレノイド（接離手段）
３８            ソレノイドの作動子
３９            入力ギヤ
Ｌ              搬送路
δ              隙間
【図１】
2009084021.tif 000003
【図２】
2009084021.tif 000004
【図３】
2009084021.tif 000005
【図４】
2009084021.tif 000006
【図５】
2009084021.tif 000007
【図６】
2009084021.tif 000008
【図７】
2009084021.tif 000009
【図８】
2009084021.tif 000010
【図９】
2009084021.tif 000011
【図１０】
2009084021.tif 000012
【図１１】
2009084021.tif 000013
【図１２】
2009084021.tif 000014
【図１３】
2009084021.tif 000015
【図１４】
2009084021.tif 000016
【図１５】
2009084021.tif 000017